(57)【要約】【課題】  ユーザが手でグリップ部を握った状態で良好にスイッチ操作ができる携帯端末を提供する。【解決手段】  一端部にグリップ部１４が設けられた機器ケース１と、この機器ケース１の基準面である表面の両側面で、かつグリップ部１４から機器ケース１の反対側に位置する他端部に向けて離れた位置の機器ケース１の両側面に第１、第２の釦部８ａ、９ａが露出して設けられた第１、第２側面トリガーキー８、９と、を備え、これら第１、第２の釦部８ａ、９ａは、機器ケース１の基準面に対する距離が、グリップ部１４から離れるに従って次第に長くなる傾斜した状態で配置されている。従って、ユーザが一方の手でグリップ部１４を握った際に、ユーザが握った手の母指Ｆ１と示指Ｆ２とによって第１、第２の釦部８ａ、９ａを操作することができる。【選択図】        図８
2019021217.tif 000002
【特許請求の範囲】
【請求項１】
一端部にグリップ部が設けられた端末本体と、
前記端末本体の基準面である第１の面の側方に位置する側面で、かつ前記グリップ部から前記端末本体の反対側に位置する他端部に向けて離れた位置の前記端末本体の側面に釦部が露出して設けられた側面スイッチ部と、
を備え、
前記側面スイッチ部の前記釦部は、前記端末本体の前記基準面に対する距離が、前記グリップ部から離れるに従って次第に長くなる傾斜した状態で配置されていることを特徴とする携帯端末。
【請求項２】
請求項１に記載の携帯端末において、前記側面スイッチ部は、前記端末本体の前記基準面である前記第１の面の両側に位置する両側面に設けられていることを特徴とする携帯端末。
【請求項３】
請求項１または請求項２に記載の携帯端末において、前記端末本体は、前記グリップ部が設けられた前記一端部と反対側に位置する他端部が、前記一端部と前記他端部との連続方向と直交する方向の幅が前記グリップ部よりも広い幅広部に形成されており、前記側面スイッチ部は、前記グリップ部の近傍に位置する前記幅広部の両側に設けられていることを特徴とする携帯端末。
【請求項４】
請求項１〜請求項３のいずれかに記載の携帯端末において、前記側面スイッチ部は、ユーザが一方の手の掌で前記グリップ部を前記基準面である前記第１の面から被せ母指と他の指とを前記端末本体の両側から掴むように前記グリップ部を把握した際に、前記ユーザが把握した手の前記母指または前記示指によって前記釦部が操作可能に配置されることを特徴とする携帯端末。
【請求項５】
請求項１〜請求項３のいずれかに記載の携帯端末において、前記側面スイッチ部は、ユーザが一方の手の母指を前記端末本体の前記第１の面に被せ前記端末本体の脇側から延ばした他の指で前記第１の面の裏面に位置する第２の面を支えるような把握態様で、前記一方の手により前記グリップ部を把握した際に、前記ユーザが把握した手の前記母指または前記示指によって前記釦部が操作可能に配置されていることを特徴とする携帯端末。
【請求項６】
請求項１〜請求項５のいずれかに記載の携帯端末において、前記グリップ部の前記基準面である前記第１の面には、複数のキーを有するキースイッチ部が設けられていることを特徴とする携帯端末。
【請求項７】
請求項１〜請求項６のいずれかに記載の携帯端末において、前記端末本体の前記幅広部における前記基準面である前記第１の面には、情報を表示する表示部が設けられていることを特徴とする携帯端末。
【請求項８】
請求項１〜請求項７のいずれかに記載の携帯端末において、前記端末本体の前記幅広部における前記基準面である前記第１の面の裏面に位置する第２の面には、情報を光学的に読み取る読取部が設けられていることを特徴とする携帯端末。
【発明の詳細な説明】
【技術分野】
【０００１】
この発明は、手に持って使用する携帯端末に関する。
【背景技術】
【０００２】
例えば、携帯端末においては、特許文献１に記載されているように、ユーザが機器ケースを握った状態で、機器ケースの側面に設けられた側面スイッチを操作することができる構造のものが知られている。
【先行技術文献】
【特許文献】
【０００３】
【特許文献１】特開２００４−１２８５７４号公報
【発明の概要】
【発明が解決しようとする課題】
【０００４】
このような携帯端末では、ユーザが機器ケースを掌に載せて機器ケースを保持した状態で、側面スイッチを操作する際に、ユーザの保持手の指が側面スイッチに対応する位置に配置されるとは限らない。このため、ユーザの保持手の指で側面スイッチを操作する際には、側面スイッチを保持手の指で探し出さなければならないため、側面スイッチの操作性が悪いという不都合がある。
【０００５】
この発明が解決しようとする課題は、ユーザが手でグリップ部を握った状態で良好にスイッチ操作ができる携帯端末を提供することである。
【課題を解決するための手段】
【０００６】
この発明は、一端部にグリップ部が設けられた端末本体と、前記端末本体の基準面である第１の面の側方に位置する側面で、かつ前記グリップ部から前記端末本体の反対側に位置する他端部に向けて離れた位置の前記端末本体の側面に釦部が露出して設けられた側面スイッチ部と、を備え、前記側面スイッチ部の前記釦部は、前記端末本体の前記基準面に対する距離が、前記グリップ部から離れるに従って次第に長くなる傾斜した状態で配置されていることを特徴とする携帯端末である。
【発明の効果】
【０００７】
この発明によれば、ユーザが手でグリップ部を握った状態で良好にスイッチ操作をすることができる。
【図面の簡単な説明】
【０００８】
【図１】この発明を携帯端末に適用した一実施形態を示した正面図である。
【図２】図１に示された携帯端末の裏面図である。
【図３】図１に示された携帯端末を裏面側から見た斜視図である。
【図４】図２に示された携帯端末を左側から見た側面図であり、図１に示された携帯端末を右側から見た側面図である。
【図５】図４に示された携帯端末を標準的な第１の握り方で握った状態で、その握った手の示指で第１側面トリガーキーを操作する状態を示した側面図である。
【図６】図２に示された携帯端末を右側から見た側面図であり、図１に示された携帯端末を左側から見た側面図である。
【図７】図１に示された携帯端末のグリップ部の表面にユーザが手の掌を被せて握る第２の握り方で握った状態を示した斜視図である。
【図８】図７に示された携帯端末を右側から見た側面図であり、図１に示された携帯端末を右側から見た側面図である。
【図９】図７に示された携帯端末を左側から見た側面図であり、図１に示された携帯端末を左側から見た側面図である。
【発明を実施するための形態】
【０００９】
以下、図１〜図９を参照して、この発明を適用した携帯端末の一実施形態について説明する。
この携帯端末は、図１〜図６に示すように、端末本体である機器ケース１を備えている。この機器ケース１は、縦方向（図１では上下方向）に長い縦長のほぼ長方形状に形成されている。
【００１０】
この機器ケース１は、図１〜図６に示すように、上辺側のほぼ半分が幅広部１ａに形成され、下辺側のほぼ半分が幅狭部１ｂに形成され、全体がほぼ羽子板形状に形成されている。すなわち、上辺側の幅広部１ａは、その縦方向と直交する横方向（図１では左右方向）の長さ（幅）が、下辺側の幅狭部１ｂの横方向（図１では左右方向）の長さ（幅）よりも長く（広く）形成されている。
【００１１】
また、この機器ケース１は、図１〜図６に示すように、上部ケース２と下部ケース３とを有し、これらの内部にモジュール（図示せず）が組み込まれるように構成されている。上部ケース２は、図１および図３に示すように、機器ケース１と同様、上辺側の幅広部と下辺側の幅狭部とを有するほぼ羽子板形状に形成され、その外周の側面部が下部ケース３に取り付けられるように構成されている。
【００１２】
この場合、上部ケース２の上面である表面における上辺側の幅広部には、図１および図７に示すように、そのほぼ全域に亘って表示部４が設けられている。また、上部ケース２の表面における下辺側の幅狭部には、そのほぼ全域に亘ってキー操作部５が設けられている。表示部４は、液晶表示パネルやＥＬ（エレクトロ・ルミネッセンス）表示パネルなどの平面型の表示パネルであり、ほぼ長方形状に形成されている。
【００１３】
この表示部４は、図１および図７に示すように、上部ケース２の表面に設けられた表示窓部４ａに対応した状態で上部ケース２内に配置され、表示された情報が表示窓部４ａを通して上部ケース２の上方から見えるように構成されている。キー操作部５は、テンキー、カーソルキー、ファンクションキーなどの携帯端末に必要な各種のキーを備えている。この場合、キー操作部５は、その上辺の中間部に上面トリガーキー５ａが配置されている。
【００１４】
下部ケース３は、図２〜図６に示すように、上部ケース２と同様、上辺側の幅広部と下辺側の幅狭部とを有するほぼ羽子板形状に形成され、その外周の側面部が上部ケース２に取り付けられるように構成されている。この下部ケース３の上辺部側に位置する幅広部の下面である裏面には、光学読取部６が設けられている。
【００１５】
この光学読取部６は、図２〜図６に示すように、レーザ読取部と撮像部（いずれも図示せず）とを備え、これらが下部ケース３の幅広部における上辺部側に位置する裏面に箱型形状に突出して設けられた読取突起部６ａ内に格納されている。この場合、読取突起部６ａには、レーザ読取部に対応する第１窓部６ｂと、撮像部に対応する第２窓部６ｃと、が設けられている。
【００１６】
これにより、光学読取部６は、図２〜図６に示すように、レーザ読取部がレーザ光線を読取突起部６ａの第１窓部６ｂから機器ケース１の外部に出射させ、そのレーザ光線の反射光を受光することにより、物品のバーコードなどを読み取るように構成されている。また、この光学読取部６は、撮像部が第２窓部６ｃを通してレーザ読取部で読み取る物品の画像を撮影するように構成されている。
【００１７】
また、機器ケース１の縦方向（長手方向）におけるほぼ中間部、つまり幅広部１ａと幅狭部１ｂとの境界部側に位置する幅広部１ａの両側部には、図１〜図６に示すように、後述する第１、第２側面トリガーキー８、９がそれぞれ設けられている。これら第１、第２側面トリガーキー８およびキー操作部５の上面トリガーキー５ａは、光学読取部６による読取動作を実行させるためのものである。
【００１８】
さらに、この機器ケース１の下辺部側に位置する幅狭部１ｂの裏面には、図２〜図６に示すように、電池蓋１０がキー操作部５に対応して設けられている。この電池蓋１０は、第１、第２側面トリガーキー８、９の近傍に位置する下部ケース３の裏面に設けられた一対の取付レバー１３によって、下部ケース３の裏面に着脱可能に取り付けられている。
【００１９】
ところで、機器ケース１の下辺部側に位置する幅狭部１ｂには、図１〜図４に示すように、機器ケース１の第１の面である表面と、その反対側に位置する第２の面である裏面とに跨ってユーザの一方の手により把握可能なグリップ部１４が設けられている。このグリップ部１４は、ユーザの一方の手の母指Ｆ１を機器ケース１の表面に被せ機器ケース１の脇側から延ばした他の指Ｆ２〜Ｆ５で機器ケース１の裏面を支えるような標準的な把握態様で、ユーザの一方の手により把握可能に構成されている。
【００２０】
すなわち、このグリップ部１４は、図１〜図４に示すように、機器ケース１の幅狭部１ｂである上部ケース２の幅狭部と、下部ケース３の幅狭部と、下部ケース３の電池蓋１０と、で構成されている。この場合、グリップ部１４における上部ケース２の幅狭部と下部ケース３の幅狭部との各側面部は、ユーザがグリップ部１４を上述した把握態様で把握する手を自然に湾曲させる円弧状の湾曲面に形成されている。また、下部ケース３の電池蓋１０は、下部ケース３の両側部から裏面側に向けて緩やかに湾曲して突出する湾曲形状に形成されている。
【００２１】
これにより、グリップ部１４は、図１〜図４に示すように、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような標準的な把握態様のときに、ユーザの他の指Ｆ２〜Ｆ５が機器ケース１の裏面に自然に曲がって巻き付くような形状に形成されている。
【００２２】
このため、グリップ部１４は、図１〜図４に示すように、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような標準的な把握態様で、ユーザが一方の手で機器ケース１を保持した際に、ユーザの把握手がフィットすることにより、ユーザの手の大きさに係わらず、ユーザが片手で握り易い形状に形成されている。
【００２３】
また、このグリップ部１４のうち、裏面に位置する電池蓋１０には、図２〜図６に示すように、ユーザが母指Ｆ１を機器ケース１の表面に被せ機器ケース１の脇側から延ばした他の指Ｆ２〜Ｆ５で機器ケース１の裏面を支えるような把握態様でユーザが一方の手で機器ケース１を保持した際に、ユーザが把握する手の示指Ｆ２と中指Ｆ３との間に盛り上がる盛上り部１５が設けられている。
【００２４】
この盛上り部１５は、図２〜図６に示すように、ユーザがキー操作部５を母指Ｆ１で操作すべく、ユーザが母指Ｆ１を機器ケース１の脇側から延ばした他の指Ｆ２〜Ｆ５で機器ケース１の裏面を支えるような把握態様で、ユーザが一方の手でグリップ部１４を保持した際に、ユーザが把握する手の示指Ｆ２と中指Ｆ３との間に位置する山形状の頭頂部１５ａを有している。この頭頂部１５ａは、ユーザが把握する手の示指Ｆ２と中指Ｆ３との間に位置して、示指Ｆ２と中指Ｆ３との屈曲形状に沿って湾曲状に連続するように形成されている。
【００２５】
すなわち、この頭頂部１５ａは、図２〜図６に示すように、機器ケース１の長手方向と直交する横方向に示指Ｆ２と中指Ｆ３との屈曲形状に沿って湾曲状に連続すると共に、その連続する横方向における中間部が機器ケース１の裏面側に向けて最も大きく突出し、横方向の中間部から横方向の両側に向かうに従って次第に突出長さが小さくなるように形成されている。また、この盛上り部１５は、頭頂部１５ａを境にして、一方側の裾野である第１の指掛領域１７と、他方側の裾野である第２の指掛領域１８と、を備えている。
【００２６】
第１の指掛領域１７は、図２〜図６に示すように、ユーザが上述した把握態様でグリップ部１４を把握した際に、示指Ｆ２が押し当てられる斜面であり、電池蓋１０の上辺部側から頭頂部１５ａに向けて急な傾斜面に形成されている。第２の指掛領域１８は、ユーザが上述した把握態様でグリップ部１４を把握した際に、中指Ｆ３〜小指Ｆ５が押し当てられる斜面であり、頭頂部１５ａから電池蓋１０の下辺側に向けて緩やかに傾斜する傾斜面に形成されている。
【００２７】
すなわち、第１の指掛領域１７は、図２〜図６に示すように、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様のときに、ユーザが把握する手の示指Ｆ２の腹が、電池蓋１０の縦方向（長手方向）における下辺部側つまりユーザが把握する手側に向けて押し当てられて配置されるような傾斜面に形成されている。
【００２８】
この第１の指掛領域１７は、図２〜図６に示すように、電池蓋１０の上辺側に位置する上辺部から頭頂部１５ａに向けて急な角度で立ち上る傾斜面に形成されている。また、この第１の指掛領域１７は、機器ケース１の縦方向（長手方向）と直交する横方向に連続する頭頂部１５ａに沿って示指Ｆ２の屈曲状態に対応する円弧状に湾曲して形成されている。
【００２９】
このため、この盛上り部１５は、図２〜図６に示すように、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を握った際に、ユーザの示指Ｆ２が第１の指掛領域１７の湾曲に沿って屈曲した形状で、その示指Ｆ２の腹が第１の指掛領域１７に押し当てられ、この状態で第１の指掛領域１７を機器ケース１の縦方向における下辺部側、つまりユーザが把握する手側に向けて引き寄せるように構成されている。
【００３０】
一方、第２の指掛領域１８は、図２〜図６に示すように、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を把握するときに、ユーザが把握する手の他の指Ｆ３〜Ｆ５の各腹がグリップ部１４の電池蓋１０を機器ケース１に向けて押し当てられて、ユーザの中指Ｆ３〜小指Ｆ５が並んだ状態で自然に曲がるような湾曲面に形成されている。
【００３１】
すなわち、この第２の指掛領域１８は、図２〜図６に示すように、頭頂部１５ａから電池蓋１０の下辺側に向けて緩やかに傾斜する湾曲面に形成されている。これにより、この第２の指掛領域１８は、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を把握するときに、示指Ｆ２以外の指Ｆ３〜Ｆ５が並んで自然な状態で曲がるように、電池蓋１０の裏面側に向けて凸となる緩やかな湾曲形状に形成されている。
【００３２】
また、電池蓋１０の上辺部に設けられた盛上り部１５の第１の指掛領域１７には、図２に示すように、グリップ部１４における下部ケース３内に設けられた下面トリガーキー２０が第１の指掛領域１７に対応して設けられている。この下面トリガーキー２０は、キー操作部５の上面トリガーキー５ａおよび側面トリガーキー８と同様、光学読取部６による読取動作を実行させるためのものである。
【００３３】
すなわち、この下面トリガーキー２０は、図２に示すように、操作釦２０ａが電池蓋１０の第１の指掛領域１７に設けられた釦挿入孔２１内に配置されている。これにより、下面トリガーキー２０は、操作釦２０ａが機器ケース１の外部から押圧操作された際に、オン動作するように構成されている。この場合、操作釦２０ａは、機器ケース１の外部に突出しない状態で第１の指掛領域１７の釦挿入孔２１内に配置されている。
【００３４】
このため、下面トリガーキー２０は、図２〜図４に示すように、ユーザが機器ケース１のグリップ部１４を片手で握った際に、ユーザが把握する手の示指Ｆ２が屈曲した形状で示指Ｆ２の腹が第１の指掛領域１７にその湾曲に沿って押し当てられ、この状態で盛上り部１５を機器ケース１の下辺部側つまりユーザが把握する手側に向けて引き寄せても、操作釦２０ａが示指Ｆ２の腹で押し込まれることがなく、スイッチ本体（図示せず）がオン動作しないように構成されている。
【００３５】
また、この下面トリガーキー２０は、図２〜図４に示すように、ユーザが機器ケース１のグリップ部１４を片手で握り、ユーザが把握する手の示指Ｆ２が屈曲した形状で、その示指Ｆ２の腹が第１の指掛領域１７にその湾曲に沿って押し当てられた状態で、示指Ｆ２の腹が盛上り部１５を機器ケース１の下辺部側つまりユーザが把握する手側に向けて引き寄せられて、示指Ｆ２の腹が釦挿入孔２１に強く押し込まれると、操作釦２０ａが示指Ｆ２の腹によって押し込まれてスイッチ本体がオン動作するように構成されている。
【００３６】
ところで、機器ケース１の左右の両側面に設けられた第１、第２側面トリガーキー８、９のうち、第１側面トリガーキー８は、図４に示すように、機器ケース１の左側の側面に設けられている。この第１側面トリガーキー８は、グリップ部１４の近傍に位置する機器ケース１の幅広部１ａの左側面に第１釦部８ａが露出して設けられている。すなわち、この第１側面トリガーキー８は、図１に示すように、機器ケース１の幅広部１ａにおける上面である表面に設けられた表示部４の下辺部側の左側方に配置されている。
【００３７】
この場合、第１釦部８ａは、図４に示すように、機器ケース１の長手方向に沿って長いほぼ長方形状に形成されている。この第１釦部８ａは、機器ケース１の表面を基準面として、この基準面に対する機器ケース１の厚み方向の距離が、グリップ部１４側から離れるに従って次第に長くなるように傾斜した状態で配置されている。
【００３８】
すなわち、この第１釦部８ａは、図４に示すように、グリップ部１４側に位置する一端部における機器ケース１の基準面までの距離が、グリップ部１４と反対側に位置する光学読取部６側の他端部における機器ケース１の基準面までの距離よりも短くなるように、傾斜した状態で配置されている。このため、第１釦部８ａは、その長手方向に沿う中心線Ｓ１が機器ケース１の基準面である表面に対して所定の傾斜角度θで傾斜して設けられている。
【００３９】
これにより、第１側面トリガーキー８は、図４および図５に示すように、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を標準的な第１の握り方で握り、ユーザの示指Ｆ２を第１の指掛領域１７に押し当てた状態で、この押し当てた示指Ｆ２を第１の指掛領域１７から離して伸ばした際に、示指Ｆ２が第１釦部８ａに配置されるように構成されている。
【００４０】
また、この第１側面トリガーキー８は、図７および図８に示すように、グリップ部１４の上面である表面に設けられたキー操作部５をユーザが右手の掌で被せるように、ユーザが母指Ｆ１をグリップ部１４の右側の側面に配置させ、他の指Ｆ２〜Ｆ５をグリップ部１４の右側の脇からグリップ部１４の裏面に巻き付けるように配置させた第２の握り方でグリップ部１４を握った際に、機器ケース１の右側の側面に配置されたユーザの示指Ｆ２が第１釦部８ａに傾きをもって配置されるように構成されている。
【００４１】
この場合、第１側面トリガーキー８は、図８に示すように、グリップ部１４のキー操作部５をユーザが右手の掌で被せるように、ユーザが母指Ｆ１をグリップ部１４の左側の側面に配置させ、他の指Ｆ２〜Ｆ５をグリップ部１４の右側の脇からグリップ部１４の裏面に巻き付けるように配置させた第２の握り方でグリップ部１４を握った際に、第１釦部８ａに配置されたユーザの示指Ｆ２の長手方向に沿う中心線Ｓ２が第１釦部８ａの中心線Ｓ１に対して少し傾いて交差する状態で、示指Ｆ２が第１釦部８ａに配置されるように構成されている。
【００４２】
これにより、第１側面トリガーキー８の第１釦部８ａは、図７および図８に示すように、グリップ部１４の上面である表面に設けられたキー操作部５をユーザが右手の掌で被せるように、ユーザが母指Ｆ１をグリップ部１４の左側の側面に配置させ、他の指Ｆ２〜Ｆ５をグリップ部１４の右側の脇からグリップ部１４の裏面に巻き付けるように配置させた第２の握り方でグリップ部１４を握った際に、機器ケース１の右側の側面に配置されたユーザの示指Ｆ２が自然な状態で第１釦部８ａに配置されるように構成されている。
【００４３】
一方、第２側面トリガーキー９は、図３および図６に示すように、機器ケース１の右側の側面に設けられている。この第２側面トリガーキー９は、グリップ部１４の近傍に位置する機器ケース１の幅広部１ａの右側面に第２釦部９ａが露出して設けられている。すなわち、この第２側面トリガーキー９は、機器ケース１の幅広部１ａにおける上面である表面に設けられた表示部４の下辺部側の右側に配置されている。
【００４４】
この場合、第２釦部９ａは、図６に示すように、機器ケース１の長手方向に沿って長いほぼ長方形状に形成されている。この第２釦部９ａは、第１側面トリガーキー８の第１釦部８ａと同様、機器ケース１の表面を基準面として、この基準面に対する機器ケース１の厚み方向の距離が、グリップ部１４側から離れるに従って次第に長くなるように傾斜した状態で配置されている。
【００４５】
すなわち、この第２釦部９ａは、図６に示すように、グリップ部１４側に位置する一端部における機器ケース１の基準面までの距離が、グリップ部１４と反対側に位置する光学読取部６側の他端部における機器ケース１の基準面までの距離よりも短くなるように、傾斜した状態で配置されている。このため、第２釦部９ａは、第１側面トリガーキー８の第１釦部８ａと同様、その長手方向に沿う中心線Ｓ１が機器ケース１の基準面である表面に対して所定の傾斜角度θで傾斜して設けられている。
【００４６】
これにより、第２側面トリガーキー９は、図１〜図４、図６に示すように、ユーザが母指Ｆ１をキー操作部５に被せ機器ケース１の脇側から延ばした他の指Ｆ２〜Ｆ５で機器ケース１の裏面を支えるような把握態様で、ユーザがグリップ部１４を標準的な第１の握り方で握った状態で、母指Ｆ１を機器ケース１の側面に移動させた際に、その移動した母指Ｆ１が第２釦部９ａに配置されるように構成されている。
【００４７】
また、この第２側面トリガーキー９は、図７および図９に示すように、グリップ部１４のキー操作部５をユーザが右手の掌で被せるように、ユーザが母指Ｆ１をグリップ部１４の左側の側面に配置させ、他の指Ｆ２〜Ｆ５をグリップ部１４の右側の脇からグリップ部１４の裏面に巻き付けるように配置させた第２の握り方でグリップ部１４を握った際に、第２釦部９ａに配置されたユーザの母指Ｆ１の長手方向に沿う中心線Ｓ３が第２釦部９ａの中心線Ｓ１に対して少し傾いて交差する状態で、母指Ｆ１が第２釦部９ａに配置されるように構成されている。
【００４８】
これにより、第２側面トリガーキー９は、図７および図９に示すように、グリップ部１４の上面である表面に設けられたキー操作部５をユーザが右手の掌で被せるように、ユーザが母指Ｆ１をグリップ部１４の左側の側面に配置させ、他の指Ｆ２〜Ｆ５をグリップ部１４の右側の脇からグリップ部１４の裏面に巻き付けるように配置された第２の握り方でグリップ部１４を握った際に、機器ケース１の左側の側面に配置されたユーザの母指Ｆ１が自然な状態で第２釦部９ａ上に配置されるように構成されている。
【００４９】
さらに、この機器ケース１は、図１〜図５に示すように、グリップ部１４が機器ケース１の横方向における中心位置を軸にして左右対称な形状で形成され、かつ第１、第２側面トリガーキー８、９も機器ケース１の横方向における中心位置を軸にして左右対称な位置に配置されている。これにより、この機器ケース１は、ユーザがグリップ部１４を握る際に、ユーザが右手でも、また左手でも、同じように握れるように構成されている。
【００５０】
次に、このような携帯端末の作用について説明する。
この携帯端末を使用する場合には、電池蓋１０が位置する箇所のグリップ部１４をユーザが一方の手、例えば右手で握って機器ケース１を保持する。すなわち、ユーザがキー操作部５を母指Ｆ１で操作すべく、機器ケース１の表面にユーザの母指Ｆ１を被せ機器ケース１の脇側から延ばした他の指Ｆ２〜Ｆ５で機器ケース１を支えるような把握態様で、ユーザがグリップ部１４を標準的な第１の握り方で把握する。
【００５１】
このときには、母指Ｆ１が機器ケース１の表面のキー操作部５上に配置され、ユーザが把握する手の示指Ｆ２と中指Ｆ３との間に盛上り部１５の頭頂部１５ａが配置され、この状態で示指Ｆ２の腹が機器ケース１の裏面側に位置する電池蓋１０の盛上り部１５における第１の指掛領域１７に押し当てられ、他の指Ｆ３〜Ｆ５の各腹が盛上り部１５の第２の指掛領域１８上に配置される。
【００５２】
この状態では、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが把握する手の示指Ｆ２の腹を電池蓋１０の盛上り部１５における第１の指掛領域１７の傾斜面に押し当て、この状態で第１の指掛領域１７を盛上り部１５の下辺部側つまりユーザが把握する手側に向けて、その把握手の示指Ｆ２を引き寄せる。
【００５３】
この場合、示指Ｆ２の腹が電池蓋１０の盛上り部１５における第１の指掛領域１７の傾斜面に押し当てられ、機器ケース１の下辺部側つまりユーザが把握する手側に向けて引き寄せられると、示指Ｆ２が第１の指掛領域１７にその湾曲に沿って自然な状態で屈曲して押し当てられる。
【００５４】
このときには、ユーザが把握する手の示指Ｆ２が第１の指掛領域１７にその湾曲に沿って屈曲した形状で押し当てられても、示指Ｆ２の腹が第１の指掛領域１７の釦挿入孔２１に深く食い込むことがない。このため、操作釦２０ａが示指Ｆ２の腹によって押し込まれることがないので、スイッチ本体（図示せず）がオン動作することがない。
【００５５】
また、このときには、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが把握する手の他の指Ｆ３〜Ｆ５の各腹が盛上り部１５の第２の指掛領域１８上に押し当てられる。この状態では、指Ｆ３〜Ｆ５が第２の指掛領域１８の湾曲面に沿って自然に曲がった状態で並んで配置される。
【００５６】
これにより、ユーザが把握する手の示指Ｆ２と中指Ｆ３との間に、盛上り部１５の頭頂部１５ａが配置された状態で、中指Ｆ３〜小指Ｆ５が盛上り部１５の第２の指掛領域１８を包み込むように自然に曲がった状態で第２の指掛領域１８に並んで配置される。このため、指Ｆ３〜Ｆ５が第２の指掛領域１８にその湾曲面に沿って安定した状態で良好に配置される。これによって、ユーザが片手で機器ケース１のグリップ部１４を確実にかつ良好に把握することができる。
【００５７】
このように、ユーザが機器ケース１のグリップ部１４を握った際には、グリップ部１４が機器ケース１の幅狭部１ｂに設けられ、かつグリップ部１４の両側部から裏面側に向けて緩やかに湾曲して突出する湾曲形状に形成されていることにより、ユーザが把握する手で機器ケース１のグリップ部１４を確実にかつ良好に握ることができると共に、ユーザが把握する手をグリップ部１４にフィットさせることができる。
【００５８】
また、ユーザが機器ケース１のグリップ部１４を片手で握る際には、グリップ部１４が機器ケース１の横方向における中心位置を軸にして左右対称な形状に形成されていることにより、ユーザが右手でも、また左手でも、機器ケース１のグリップ部１４を確実にかつ良好に握ることができる。この場合にも、グリップ部１４の下面側が緩やかに湾曲して突出する湾曲形状に形成されていることにより、機器ケース１のグリップ部１４を片手で握った際に、ユーザの把握手がグリップ部１４にフィットする。
【００５９】
このようにユーザが機器ケース１のグリップ部１４を握った際には、母指Ｆ１が表示部４を遮ることなくキー操作部５上に配置されるので、表示部４に表示された情報を見ながら、母指Ｆ１をキー操作部５上において自由に移動させて、キー操作部５を良好にキー操作することができる。
【００６０】
また、ユーザが機器ケース１のグリップ部１４を握った際には、示指Ｆ２が盛上り部１５の第１の指掛領域１７の傾斜面に配置されるので、この傾斜面である第１の指掛領域１７に設けられた釦挿入孔２１に挿入された下面トリガーキー２０の操作釦２０ａを示指Ｆ２で容易に操作することができる。
【００６１】
すなわち、ユーザが機器ケース１のグリップ部１４を片手で握った際には、ユーザが把握する手の示指Ｆ２が屈曲した形状で、その示指Ｆ２の腹が第１の指掛領域１７にその湾曲に沿って押し当てられて、第１の指掛領域１７を機器ケース１の下辺部側つまりユーザが把握する手側に向けて引き寄せた状態で、示指Ｆ２の腹を釦挿入孔２１に強く押し込むと、下面トリガーキー２０の操作釦２０ａが示指Ｆ２の腹によって押し込まれて、下面トリガーキー２０のスイッチ本体（図示せず）をオン動作させる。
【００６２】
このように、下面トリガーキー２０がオン動作すると、機器ケース１の幅広部１ａの裏面に設けられた光学読取部６が駆動されて、レーザ読取部がレーザ光線を読取突起部６ａの第１窓部６ｂから機器ケース１の外部に出射させ、そのレーザ光線の反射光を受光することにより、物品のバーコードなどを読み取る。また、このときには、光学読取部６の撮像部が第２窓部６ｃを通してレーザ読取部で読み取る物品の画像を撮影する。
【００６３】
また、このように、ユーザがグリップ部１４を標準的な第１の握り方で握った状態で、例えば、盛上り部１５の第１の指掛領域１７に押し当てられたユーザの示指Ｆ２を第１の指掛領域１７から離して伸ばすと、この伸ばした示指Ｆ２が第１側面トリガーキー８の第１釦部８ａに配置される。このため、この示指Ｆ２で第１側面トリガーキー８の第１釦部８ａを押すと、第１側面トリガーキー８がオン動作する。これにより、下面トリガーキー２０のオン動作のときと同様に、光学読取部６が駆動されて、物品のバーコードなどを読み取ると共に、物品の画像を撮影する。
【００６４】
また、このように、ユーザがグリップ部１４を標準的な第１の握り方で握った状態で、例えば、機器ケース１の上面に配置されている母指Ｆ１を機器ケース１の側面に移動させると、この移動した母指Ｆ１が第２側面トリガーキー９の第２釦部９ａに配置される。このため、この母指Ｆ１で第２側面トリガーキー９の第２釦部９ａを押すと、第２側面トリガーキー９がオン動作する。これにより、下面トリガーキー２０のオン動作のときと同様に、光学読取部６が駆動されて、物品のバーコードなどを読み取ると共に、物品の画像を撮影する。
【００６５】
ところで、図７に示すように、ユーザが右手の掌でグリップ部１４のキー操作部５を被せるように、母指Ｆ１をグリップ部１４の左側の側面に配置させ、他の指Ｆ２〜Ｆ５をグリップ部１４の右側の脇からグリップ部１４の裏面に巻き付けるように配置させた第２の握り方でグリップ部１４を握った際には、機器ケース１の右側の側面に配置された示指Ｆ２が自然な状態で第１側面トリガーキー８の第１釦部８ａ上に配置されると共に、機器ケース１の左側の側面に配置された母指Ｆ１が自然な状態で第２側面トリガーキー９の第２釦部９ａ上に配置される。
【００６６】
このため、ユーザが右手でグリップ部１４を第２の握り方で握った際には、ユーザが把握した手の示指Ｆ２で第１側面トリガーキー８の第１釦部８ａを押して第１側面トリガーキー８をオン動作させることができ、またユーザが把握した手の母指Ｆ１で第２側面トリガーキー９の第２釦部９ａを押して第２側面トリガーキー９をオン動作させることができる。このため、下面トリガーキー２０のオン動作のときと同様に、光学読取部６が駆動されて、物品のバーコードなどを読み取ると共に、物品の画像を撮影する。
【００６７】
このように、この携帯端末によれば、一端部にグリップ部１４が設けられた機器ケース１と、この機器ケース１の基準面である表面の両側面で、かつグリップ部１４から機器ケース１の反対側に位置する他端部に向けて離れた位置の機器ケース１の両側面に第１、第２の釦部８ａ、９ａが露出して設けられた第１、第２側面トリガーキー８、９と、を備え、これら第１、第２の釦部８ａ、９ａは、機器ケース１の基準面に対する距離が、グリップ部１４から離れるに従って次第に長くなるように傾斜した状態で配置されていることにより、ユーザが手でグリップ部１４を握った状態で良好にスイッチ操作をすることができる。
【００６８】
すなわち、この携帯端末では、グリップ部１４から機器ケース１の反対側に位置する他端部に向けて離れた位置の機器ケース１の両側面に第１、第２側面トリガーキー８、９の第１、第２の釦部８ａ、９ａが配置されているので、ユーザが手でグリップ部１４を握った際に、ユーザが握った手の母指Ｆ１と示指Ｆ２とを第１、第２の釦部８ａ、９ａに対応させて配置させることができ、これによりユーザが手でグリップ部１４を握った状態で良好にスイッチ操作をすることができる。
【００６９】
この場合、第１、第２の釦部８ａ、９ａは、機器ケース１の基準面に対する距離が、グリップ部１４から離れるに従って次第に長くなるように傾斜した状態で配置されているので、ユーザの手の大きさに、および指Ｆ１〜Ｆ５の長さに係わらず、ユーザが握った手の母指Ｆ１と示指Ｆ２とを第１、第２の釦部８ａ、９ａに確実に対応させて配置させることができる。このため、ユーザが把握した手の母指Ｆ１および示指Ｆ２で第１、第２側面トリガーキー８、９を探す必要がなく、容易にスイッチ操作することができる。
【００７０】
また、機器ケース１は、グリップ部１４が設けられた一端部と反対側に位置する他端部が、一端部と他端部との連続方向と直交する方向の幅がグリップ部１４よりも広い幅広部１ａに形成されていることにより、グリップ部１４の近傍に位置する幅広部１ａの両側面に第１、第２側面トリガーキー８、９の第１、第２の釦部８ａ、９ａを設けることができる。このため、ユーザが一方の手でグリップ部１４を握り易くすることができると共に、ユーザが一方の手でグリップ部１４を握った際に、ユーザが握った手の母指Ｆ１と示指Ｆ２とを第１、第２の釦部８ａ、９ａに配置させ易くすることができる。
【００７１】
また、第１、第２側面トリガーキー８、９は、ユーザが一方の手の掌でグリップ部１４を基準面である表面から被せ母指Ｆ１と示指Ｆ２とを機器ケース１の両側から掴むように第２の握り方でグリップ部１４を把握した際に、ユーザが把握した手の母指Ｆ１および示指Ｆ２によって第１、第２の釦部８ａ、９ａが操作可能に配置されることにより、ユーザが把握した手の母指Ｆ１および示指Ｆ２で第１、第２側面トリガーキー８、９を探す必要がなく、容易にかつ確実にスイッチ操作することができる。
【００７２】
また、第１、第２側面トリガーキー８、９は、ユーザが一方の手の母指Ｆ１をグリップ部１４の基準面である表面に被せ機器ケース１の脇側から延ばした他の指で機器ケース１の裏面を支えるような把握態様で、一方の手によりグリップ部１４を標準的な第１の握り方で把握した際に、ユーザが把握した手の母指Ｆ１または示指Ｆ２によって第１、第２の釦部８ａ、９ａが操作可能に配置されていることにより、ユーザが把握した手の母指Ｆ１または示指Ｆ２で第１、第２側面トリガーキー８、９を容易にかつ良好にスイッチ操作することができる。
【００７３】
すなわち、この携帯端末では、ユーザが一方の手の母指Ｆ１をグリップ部１４の基準面である表面に被せ機器ケース１の脇側から延ばした他の指で機器ケース１の裏面を支えるような把握態様で、一方の手によりグリップ部１４を標準的な第１の握り方で把握した状態で、ユーザが母指Ｆ１を機器ケース１の側面に移動させて第２側面トリガーキー９の第２釦部９ａに配置させることができ、またユーザの示指Ｆ２を機器ケース１の側面に移動させて第１側面トリガーキー８の第１釦部８ａに配置させることができる。
【００７４】
また、この携帯端末では、グリップ部１４の表面に複数のキーを有するキー操作部５が設けられていることにより、ユーザが一方の手の母指Ｆ１をグリップ部１４の基準面である表面に被せ機器ケース１の脇側から延ばした他の指で機器ケース１の裏面を支えるような把握態様で、一方の手によりグリップ部１４を標準的な第１の握り方で把握した際に、ユーザが把握した手の母指Ｆ１をキー操作部５に配置させて移動させることにより、キー操作部５を良好にキー操作することができる。
【００７５】
また、この携帯端末では、機器ケース１の幅広部１ａにおける基準面である表面に情報を表示する表示部４が設けられていることにより、ユーザがグリップ部１４を如何なる把握態様、例えば標準的な第１の握り方、またはユーザが一方の手の掌でグリップ部１４の表面を覆って握る第２の握り方で握っても、グリップ部１４を握った手によって表示部４が遮られることなく、表示部４に表示された情報を見ることができる。
【００７６】
さらに、この携帯端末では、機器ケース１の幅広部１ａにおける裏面に情報を光学的に読み取る光学読取部６が設けられていることにより、ユーザがグリップ部１４を如何なる把握態様、例えば標準的な第１の握り方、またはユーザが一方の手の掌でグリップ部１４の表面を覆って握る第２の握り方で握っても、グリップ部１４を握った手の母指Ｆ１または示指Ｆ２による第１、第２側面トリガーキー８、９のいずれかのスイッチ操作によって、光学読取部６を駆動させて、物品のバーコードなどを読み取ることができると共に、物品の画像を撮影することができる。
【００７７】
なお、上述した実施形態では、機器ケース１の表面に表示部４とキー操作部５とを設けた場合について述べたが、この発明はこれに限らず、例えばキー操作部を透明なタッチパネルで形成して表示パネルを積層させた入力表示部であっても良い。
【００７８】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７９】
（付記）
請求項１に記載の発明は、一端部にグリップ部が設けられた端末本体と、前記端末本体の基準面である第１の面の側方に位置する側面で、かつ前記グリップ部から前記端末本体の反対側に位置する他端部に向けて離れた位置の前記端末本体の側面に釦部が露出して設けられた側面スイッチ部と、を備え、前記側面スイッチ部の前記釦部は、前記端末本体の前記基準面に対する距離が、前記グリップ部から離れるに従って次第に長くなる傾斜した状態で配置されていることを特徴とする携帯端末である。
【００８０】
請求項２に記載の発明は、請求項１に記載の携帯端末において、前記側面スイッチ部は、前記端末本体の前記基準面である前記第１の面の両側に位置する両側面に設けられていることを特徴とする携帯端末である。
【００８１】
請求項３に記載の発明は、請求項１または請求項２に記載の携帯端末において、前記端末本体は、前記グリップ部が設けられた前記一端部と反対側に位置する他端部が、前記一端部と前記他端部との連続方向と直交する方向の幅が前記グリップ部よりも広い幅広部に形成されており、前記側面スイッチ部は、前記グリップ部の近傍に位置する前記幅広部の両側に設けられていることを特徴とする携帯端末である。
【００８２】
請求項４に記載の発明は、請求項１〜請求項３のいずれかに記載の携帯端末において、前記側面スイッチ部は、ユーザが一方の手の掌で前記グリップ部を前記基準面である前記第１の面から被せ母指と他の指とを前記端末本体の両側から掴むように前記グリップ部を把握した際に、前記ユーザが把握した手の前記母指または前記示指によって前記釦部が操作可能に配置されることを特徴とする携帯端末である。
【００８３】
請求項５に記載の発明は、請求項１〜請求項３のいずれかに記載の携帯端末において、前記側面スイッチ部は、ユーザが一方の手の母指を前記端末本体の前記第１の面に被せ前記端末本体の脇側から延ばした他の指で前記第１の面の裏面に位置する第２の面を支えるような把握態様で、前記一方の手により前記グリップ部を把握した際に、前記ユーザが把握した手の前記母指または前記示指によって前記釦部が操作可能に配置されていることを特徴とする携帯端末である。
【００８４】
請求項６に記載の発明は、請求項１〜請求項５のいずれかに記載の携帯端末において、前記グリップ部の前記基準面である前記第１の面には、複数のキーを有するキースイッチ部が設けられていることを特徴とする携帯端末である。
【００８５】
請求項７に記載の発明は、請求項１〜請求項６のいずれかに記載の携帯端末において、前記端末本体の前記幅広部における前記基準面である前記第１の面には、情報を表示する表示部が設けられていることを特徴とする携帯端末である。
【００８６】
請求項８に記載の発明は、請求項１〜請求項７のいずれかに記載の携帯端末において、前記端末本体の前記幅広部における前記基準面である前記第１の面の裏面に位置する第２の面には、情報を光学的に読み取る読取部が設けられていることを特徴とする携帯端末である。
【符号の説明】
【００８７】
１  機器ケース
２  上部ケース
３  下部ケース
４  表示部
５  キー操作部
６  光学読取部
８  第１側面トリガーキー
８ａ  第１釦部
９  第２側面トリガーキー
９ａ  第２釦部
１０  電池蓋
１４  グリップ部
１５  盛上り部
１５ａ  頭頂部
１７  第１の指掛領域
１８  第２の指掛領域
２０  下面トリガーキー
２０ａ  操作釦
２１  釦挿入孔
【図１】
2019021217.tif 000003
【図２】
2019021217.tif 000004
【図３】
2019021217.tif 000005
【図４】
2019021217.tif 000006
【図５】
2019021217.tif 000007
【図６】
2019021217.tif 000008
【図７】
2019021217.tif 000009
【図８】
2019021217.tif 000010
【図９】
2019021217.tif 000011